(57)【要約】【課題】  整体での人体部位への押圧による施術者の疲労負担を軽減し、より効率化できる整体用押圧具を提供する。【解決手段】  １対の剛性ある棒状部材１、１’と、同棒状部材のそれぞれの一方の端部１ａ、１’ａを前記の棒状部材１、１’がほぼ同一平面内で回動するように連結する剛性の連結部材２と、前記の各棒状部材の途中位置でかつ相互に対向する位置に、前記の棒状部材１、１’を閉じる方向に回動させた場合に両先端が相互に近接する方向に動くように設けた突出部材３、３’とからなり、前記の突出部材が、棒状部材１、１’の長さ方向と直角となる方向を基準として、それより反連結部材側に傾いていることを特徴とする整体用押圧具。【選択図】図１
0003149062.tif 000002
【実用新案登録請求の範囲】
【請求項１】
１対の剛性ある棒状部材１、１’と、同棒状部材のそれぞれの一方の端部１ａ、１’ａを前記の棒状部材１、１’がほぼ同一平面内で回動するように連結する剛性の連結部材２と、前記の各棒状部材の途中位置でかつ相互に対向する位置に、前記の棒状部材１、１’を閉じる方向に回動させた場合に両先端が相互に近接する方向に動くように設けた突出部材３、３’とからなり、前記の突出部材３、３’が、棒状部材１、１’の長さ方向と直角となる方向を基準として、それより反連結部材側に傾いていることを特徴とする整体用押圧具。
【考案の詳細な説明】
【技術分野】
【０００１】  本考案は、整体用の押圧具に関する。
【背景技術】
【０００２】  人体の局部、通常筋肉部に圧力を加えて、血流を促すなどを通じて、患部の治癒、痛みの軽減などを図る器具として、例えば、特開平６−２７７２６２号が知られている。【０００３】  この器具（特開平６−２７７２６２号）は、開閉可能な対の把持柄の一方に押接体を設け、他の一方には当て部材を押圧体に対峙させて設け、身体部位をはさみ、当て部材で受けながら押接体で押つけて、押圧の作用を効かせる。テコの作用を効かせながら作用させることができ、それなりの効果が期待できる。しかし、作業者の疲労を少なくするためには、よりいっそう効果的な押圧が可能な器具の提供が求められる。
【特許文献１】特開平６−２７７２６２号
【考案の開示】
【考案が解決しようとする課題】
【０００４】  本考案の目的は、よりいっそう効果的な押圧が可能な器具を提供することである。本考案者は、種々検討しようやく本考案に到達した。
【課題を解決するための手段】
【０００５】  本考案（請求項１の考案）は、１対の剛性ある棒状部材１、１’と、同棒状部材のそれぞれの一方の端部１ａ、１’ａを前記の棒状部材１、１’がほぼ同一平面内で回動するように連結する剛性の連結部材２と、前記の各棒状部材の途中位置でかつ相互に対向する位置に、前記の棒状部材１、１’を閉じる方向に回動させた場合に両先端が相互に近接する方向に動くように設けた突出部材３、３’とからなり、前記の突出部材３、３’が、棒状部材１、１’の長さ方向と直角となる方向を基準として、それより反連結部材側に傾いていることを特徴とする整体用押圧具である。【０００６】  ここで「棒状部材」とは、例えば、棒で代表されるように、縦長に伸びた部材をいう。概して縦長に伸びている限り、多少曲がっていてもかまわない。又、棒状部材の断面は、代表的には円形状であるが、筒状、薄板状など、その形に限定はされない。前記の棒状部材は、剛性を有する。「剛性を有する」とは、曲げの力を加えても簡単には曲がらない性質を有することをいう。そのような材料としては、木材、金属、柔軟性のないプラスチックなどが挙げられる。棒状部材は、１対のもので図では１、１’から成る。【０００７】  この１対の棒状部材１、１’は、それぞれの一方の端部１ａ、１’ａを前記の棒状部材１、１’がほぼ同一平面内で回動するように剛性の連結部材２に連結する。ここで、「剛性の」の意味は、前記の「剛性ある」と同じである。連結の手段は、公知の任意のもの・方法を用いることができる。代表的には、棒状部材１、１’の端部１ａ、１’ａと連結部材２とに共通の回動軸となるピン（軸）を挿通する方法、連結部材２と棒状部材の端部１ａ、１’ａとに蝶番（チョウツガイ）を取り付ける方法、などが挙げられる。このような連結により、また必要な場合若干の調整により、同棒状部材１、１’は、これらをほぼ同一平面内で回動させることができる。【０００８】  本考案では、前記の各棒状部材の途中位置でかつ相互に対応する位置に、前記の棒状部材１、１’を閉じる方向に回動させた場合に両先端が相互に近接する方向に動くように突出部材３、３’を設けている。
この両先端とは、棒状部材１の先端、及び、棒状部材１’の先端をいう。
前記の各棒状部材１、１’の途中位置とは、棒状部材の連結部材２側の端部１ａ、１’ａと、その反対側の端部１ｃ、１’ｃとの各途中位置で、図ではその位置の一例として、１ｂ、１’ｂで示す。この途中位置１ｂ、１’ｂに、突出部材３、３’を設けている。【０００９】  これら、途中位置１ｂ、１’ｂは、通常は、各棒状部材でそのほぼ中間位置か、それより連結部材２寄りである。突出部材３、３’は、対の棒状部材１、１’を閉じる方向を「内側」とすると、棒状部材から内側に突出する部材で、その材質は問わないが、通常、木製、プラスチック製などがあげられる。突出部材３、３’の各先端部分３ａ、３’ａは、通常は、丸みを持たせ、体部（人体の部位）に押圧するとき、体を傷つけることがないようにすることが望ましい。体部（の部位）によっては、棒状部材の表面部を皮でおおうなど、適宜工夫することなども任意である。【００１０】  各突出部材３、３’は、棒状部材１、１’に対しては、動かないようにそれに固接することも、また、使うとき（施術時）に動かないようにするが、取り付け位置をスライドするなどして、棒状部材上での相対的な位置を変化させうるようにするなども任意である。
同様に、棒状部材も、全体として二重の筒状としてその出し入れが可能とすることなどにより、長さを伸縮可能に調節するのも任意である。【００１１】  本考案では、前記の突出部材３、３’が、棒状部材１、１’の長さ方向と直角となる方向を基準として、それより反連結部材側に傾いている。
【考案の効果】
【００１２】  本考案では、施術者が、人体の部位（例えば、「背」など）に突出部材３、３’の先端をあてがい、両の手で各棒状部材の端部１ｃ、１’ｃを把持するなどして、図で、Ａ、Ａ’方向の力を加える際、テコの原理で、体部への押圧力を高めることができるほか、左右バランスよく一度に２箇所の押圧処理ができ、冒頭紹介の道具などの使用に比べ、半分の時間で押圧作業ができ、押圧をする施術者の負担を著しく軽減できる。【００１３】  さらに、突出部材３、３’が、棒状部材１、１’の長さ方向と直角となる方向を基準として、それより反連結部材２側に傾いているので、図で、Ａ，Ａ‘の方向に力を加えた場合、一点鎖線で示す仮想の突出部材３−２、３’−２（棒状部材１、１’の長さ方向と直角となる方向に向いている）が横に寝る方向に動き、体部に当接する面積が増える形となるのに対して、本考案の突出部材３、３’の場合には、前記のごとく傾きがあるため、体部に対しては直角に近い形で当接することとなり、ひいては、体部に接触する面積が狭くなる方向に働き、体部へより深く先端部分を押し込む形となり、押圧の効果をさらに一段と高めることができる。
また、さらには、対の突出部材３、３’の方向は、棒状部材１、１’を少し閉じる方向に回動させるときに、図（図１）より想定されるとおり、概して相互により並行に近い形をとることになり、突出部材３、３’の先端寄りの内側面（閉じる方向の面）で、筋肉などを横から鋏む形で押圧する場合には先端の部分とは異なり、体部への接触面積も多く、よりソフトな力で押圧することともなり、その筋肉部位を全体としてじんわりともむ効果も期待できる。
【考案を実施するための最良の形態】
【００１４】  以下に本考案の実施例を記載する。ただし、実施例の一部にすぎないので、本考案は、これらの記載になんら制限されるものではなく、本考案は、さらにいろんな態様での実施が可能である。以下、図で以って実施例を説明する。
【実施例１】
【００１５】  その実施例を図１（平面図）に示す。１対の棒状部材１、１’は、木の棒（断面は丸い）で構成して、それぞれの端部１ａ、１’ａに金属製の平たい連結部材２を連結している。連結部の細部構造は、図１では明示していないが、棒状部材の各端部１ａ、１’ａにスリットを設け、そのスリットに連結部材２の両端を差し込んだ状態にして、予め棒状部材が回動するように、軸（ピン）１ｐ、１’ｐをそれぞれ、端部１ａと連結部材２、端部１’ａと連結部材２とを貫通するように挿通してある。この結果、棒状部材１、１’は図で矢印Ａ、Ａ’で示す方向（両先端部１ｃ、１’ｃが閉じる方向）に回動させると、ほぼ同一平面内で回動する。棒状部材１、１’のそれぞれの中央部分位置より若干連結部材２寄りの位置（図では１ｂ、１’ｂ）に同じく木製突中部材３、３’を接着剤その他により固設する形で（動かないようにして）設けている。【００１６】  突出部材３、３’の各先端のところは、図に示すように丸みを持たせて、押圧時に、体部に傷をつけにくいようにしている。図１は、この押圧具を人体の部位に適用して施術している際の例でもある。一点鎖線Ｐ１で示すのが、施術部位（「もも」とか、「腰」とか、「背」など）の断面の輪郭で、対を成す棒状部材１、１’の各々に突出部材３、３’があり、それらの方向は、図に示すとおり、棒状部材１、１’と直角な方向を基準として、連結部材２とは反対方向に傾けている。
なお、実際に押圧具を製する際は、対（すなわち、２箇所）の施術部位の幅（間隔）を考慮して、棒状部材１、１’の長さを決め、複数個製作するのが好ましい。
【図面の簡単な説明】
【００１７】
【図１】  図は、本考案実施例１の整体用押圧具の平面図である。
【符号の説明】
【００１８】１、１’・・・棒状部材
１ａ、１’ａ・・棒状部材１、１’の、連結部材２側の各端部
１ｂ、１’ｂ・・棒状部材１、１’の途中位置
１ｃ、１’ｃ・・棒状部材１、１’の反連結部材２側の各端部
１ｐ、１’ｐ・・棒状部材の端部１ａ、１’ａおよび連結部材に挿通させたピン（回動軸）
２・・・・・連結部材
３、３’・・・突出部材
３ａ、３’ａ・・・突出部材３、３’の各先端部分
３−２、３’−２・・比較のための仮想の突出部材
Ｐ１・・・・・施術部位を含む人体の部位（もも，腰、胴など）の断面
【図１】
0003149062.tif 000003